(57)【要約】  【課題】  パイプやマンホール、その他の丸い穴などのほぼ円筒構造物の内側でシール要素を固定するために使用される拡張可能バンドを提供する。  【解決手段】  拡張可能バンド１０は、第１バンド端部１４及び第２バンド端部１６を有するバンド本体１２を備える。第１バンド端部１４は複数個のスロットを備え、第２バンド端部１６は第１及び第２開口部を備える。ロック部材２４は第１及び第２開口部に嵌合するように構成された別個の要素であり、第２バンド端部１６を通って複数個のスロットの１つの中に延在して所望の直径で拡張可能バンドをロックするための第１タブと第２開口部に係合する第２タブとを備える。第２タブは、バンドが拡張されたとき、第１バンド端部に干渉しないように設計されている。ロック部材２４はまた、少なくとも１つのリブ又は凸部を備えていてもよい。【選択図】  図１
2007170563.tif 000002
【特許請求の範囲】
【請求項１】
第１バンド端部及び第２バンド端部を有し、ほぼ環状の形状を形成するように前記第１バンド端部と前記第２バンド端部とが重なり合うバンド本体と、
前記バンド本体の第１バンド端部に配置される複数個の連続したスロットと、
前記第２バンド端部に配置される第１及び第２開口部と、
ロック部材の第１及び第２端部に近接して配置された第１及び第２タブを有し、前記第１タブは、前記第２バンド端部の第１開口部を通って前記複数個のスロットの１つの中に延在して前記拡張可能バンドを所望の直径でロックし、前記第２タブは前記第２バンド端部に対して前記ロック部材を固定するように構成されたロック部材と、
前記ロック部材の第１タブを越えて延在する前記バンドの第２バンド端部に近接して配置される末端部分と
を備えることを特徴とする拡張可能バンド。
【請求項２】
前記バンド本体がほぼＵ型の断面を有することを特徴とする請求項１に記載の拡張可能バンド。
【請求項３】
前記バンド本体の第１及び第２バンド端部が前記ほぼＵ型の断面を持つと共に、前記バンド本体の第１バンド端部が前記第２バンド端部のＵ型の断面に嵌合するように第１バンド端部が第２バンド端部より幅が狭くなっていることを特徴とする請求項２に記載の拡張可能バンド。
【請求項４】
前記バンド本体の少なくとも第２バンド端部がほぼＵ型の断面を持つと共に、前記バンド本体の第１バンド端部が前記第２バンド端部のＵ型の断面に嵌合するように第１バンド端部が第２バンド端部より幅が狭くなっていることを特徴とする請求項１に記載の拡張可能バンド。
【請求項５】
前記バンド本体が基部と前記基部から延びる側部とを含むと共に、前記複数個のスロットが前記バンド本体の基部に配置されることを特徴とする請求項１ないし４のいずれかに記載の拡張可能バンド。
【請求項６】
前記第１バンド端部が、前記バンド本体に取り付けられ、かつ、複数個のスロットを備えた別個の部材を含むことを特徴とする請求項１ないし５のいずれかに記載の拡張可能バンド。
【請求項７】
前記第１タブが前記バンド本体の第２バンド端部の接線の方向にある面について鈍角を形成することを特徴とする請求項１ないし６のいずれかに記載の拡張可能バンド。
【請求項８】
前記第２バンド端部がＵ型の断面を有する部分を含むと共に、前記第２バンド端部の末端部分が前記Ｕ型の断面を持つバンド本体の部分から一体となって延びることを特徴とする請求項１ないし７のいずれかに記載の拡張可能バンド。
【請求項９】
前記第２バンド端部の末端部分が前記バンド本体の第２バンド端部に取り付けられた別個の拡張部材を含むことを特徴とする請求項１ないし８のいずれかに記載の拡張可能バンド。
【請求項１０】
バンド拡張機構と係合するための、前記バンド本体の内側表面上に配置された係合要素をさらに備えることを特徴とする請求項１ないし９のいずれかに記載の拡張可能バンド。
【請求項１１】
前記係合要素が前記バンド本体の内側表面に取り付けられたブロックを含むことを特徴とする請求項１０に記載の拡張可能バンド。
【請求項１２】
前記バンド本体がほぼＷ型の断面を有することを特徴とする請求項１ないし１１のいずれかに記載の拡張可能バンド。
【請求項１３】
前記バンド本体の第１及び第２バンド端部が前記ほぼＷ型の断面を有することを特徴とする請求項１２に記載の拡張可能バンド。
【請求項１４】
前記バンド本体が基部と前記基部から延びる少なくとも２つのＶ型の側部を含むと共に、前記複数個のスロットが前記バンド本体の基部に配置されることを特徴とする請求項１ないし１３のいずれかに記載の拡張可能バンド。
【請求項１５】
前記ロック部材が少なくとも１つのリブを含むことを特徴とする請求項１ないし１４のいずれかに記載の拡張可能バンド。
【請求項１６】
前記ロック部材が少なくとも１つの凸部を含むことを特徴とする請求項１ないし１５のいずれかに記載の拡張可能バンド。
【請求項１７】
前記ロック部材が曲げに強い材料から作られることを特徴とする請求項１ないし１６のいずれかに記載の拡張可能バンド。
【請求項１８】
弾性シール部材と、
拡張可能バンドと
を備えたシールシステムであって、前記拡張可能バンドが、
第１バンド端部及び第２バンド端部を有し、前記拡張可能バンドが前記弾性シール部材に接触するように前記第１バンド端部と前記第２バンド端部とが重なり合うバンド本体と、
前記第１バンド端部に近接してバンド本体に配置される複数個のスロットと、
前記第２バンド端部に配置される第１及び第２開口部と、
ロック部材の第１及び第２端部に近接して配置された第１及び第２タブを有し、前記第１タブは、前記第２バンド端部の第１開口部を通って前記複数個のスロットの１つの中に延在して前記弾性シール部材に対して前記拡張可能バンドを所望の直径でロックし、前記第２タブは前記第２バンド端部に対して前記ロック部材を固定するように構成され、前記弾性シール部材は前記ロック部材に弾性支持体を提供するロック部材と、
前記ロック部材の第１タブを越えて延在する前記バンドの第２バンド端部に近接して配置される末端部分と
を備えることを特徴とするシールシステム。
【請求項１９】
前記バンド本体がほぼＵ型の断面を有することを特徴とする請求項１８に記載のシールシステム。
【請求項２０】
前記バンド本体の第１及び第２バンド端部が前記ほぼＵ型の断面を持つと共に、前記バンド本体の第１バンド端部が前記第２バンド端部のＵ型の断面に嵌合するように前記第１バンド端部が第２バンド端部より幅が狭くなっていることを特徴とする請求項１９に記載のシールシステム。
【請求項２１】
前記第２バンド端部の末端部分がほぼ平らな断面を有し、ほぼＵ型の断面を有する前記第２バンド端部の部分から一体となって延びることを特徴とする請求項２０に記載のシールシステム。
【請求項２２】
前記バンド本体がほぼＷ型の断面を有することを特徴とする請求項１８ないし２１のいずれかに記載のシールシステム。
【請求項２３】
前記バンド本体の第１及び第２バンド端部がほぼＷ型の断面を有することを特徴とする請求項１８ないし２２のいずれかに記載のシールシステム。
【請求項２４】
前記バンド本体基部と前記基部から延びる少なくとも２つのＶ型の側部を含むと共に、前記複数個のスロットが前記バンド本体の基部に配置されることを特徴とする請求項１８ないし２３のいずれかに記載のシールシステム。
【請求項２５】
前記ロック部材が少なくとも１つのリブを含むことを特徴とする請求項１８ないし２４のいずれかに記載のシールシステム。
【請求項２６】
前記ロック部材が少なくとも１つの凸部を含むことを特徴とする請求項１８ないし２５のいずれかに記載のシールシステム。
【請求項２７】
前記ロック部材が曲げに強い材料から作られることを特徴とする請求項１８ないし２６いずれかに記載のシールシステム。
【発明の詳細な説明】
【技術分野】
【０００１】
本発明は、拡張可能バンド及びそのようなバンドを用いたシールシステムに関する。具体的には、一方の端部に複数個のスロットを有し、他方の端部にスロットの１つと係合し、かつ所望の直径でバンドをロックすることができるロック部材を有する拡張可能バンドに関する。
【背景技術】
【０００２】
拡張可能バンドは、パイプ、マンホール、又は他の同様な構造物の内側表面に対して柔軟性のあるシール要素又はガスケットを固定するために通例使用される。拡張可能バンドは、シール要素の内側の環状表面にほぼ適合し、拡張されてシール要素に圧力を加える。多様な型のロック装置がシール要素に対して拡張位置でバンドをロックするために使用されている。
【発明の開示】
【発明が解決しようとする課題】
【０００３】
しかしながら、現行のバンド及びロック装置には数多くの制限や不都合がある。現行の拡張可能バンドの多くはある一つの直径までのみ拡張可能で、したがって総拡張範囲は限定されている。こうしたバンドの多くはまた、バンドを拡張しロックするために多くの段階を踏む必要があり、また、任意の直径でバンドを素早くしっかりとロックすることができない。さらに、現行のバンドは、取り付け又は調節の際、スライドさせたり留めたりするのが容易ではない。概して、現行のバンドは、多様な大きさのパイプ又はマンホールに取り付けるのに必要な多様な大きさのシーリングに有用でない。
【０００４】
したがって、本発明の目的は、所定の範囲内で任意の直径に容易に調節され、かつ、しっかりとロックされる拡張可能バンドを提供することである。また、本発明の目的は、ロック位置からの解除がより容易な拡張可能バンドを提供することである。
【０００５】
本発明が、１つ以上の前述した本発明の目的または特徴を必ず満たすようなシステムあるいは方法に制限されるものでないことは十分に留意されるべきである。本発明が、本願に記載の好適な実施例、例示実施例、又は主要な実施例に制限されないこともまた十分に留意されるべきである。当業者による修正及び追加は、本発明の範囲内と見なされ、以下の請求項による以外に制限されることはない。
【課題を解決するための手段】
【０００６】
本発明は、第１バンド端部及び第２バンド端部を有するバンド本体を備えた拡張可能バンドを特徴とする。複数個のスロットがバンド本体の第１バンド端部に配置され、第１及び第２開口部が第２バンド端部に配置される。ロック部材は、第１タブ（ここではラッチとしても知られ参照される）と第２タブとを含む。第１タブは、第２バンド端部の第１開口部を通って、複数個のスロットの１つの中に延在し、所望の直径で拡張可能バンドをロックするように構成されている。第２タブは、第２バンド端部の第２開口部に係合するように構成されている。バンド本体の第２バンド端部は、ロック部材のタブを越えて延在する末端部分を含む。
【０００７】
バンド本体の第１及び第２バンド端部が重なって、第２バンド端部とほぼ環状の形状を形成するのが好ましい。ロック部材の第１タブは、バンドに対して内側に延在して複数個のスロットの１つと係合し、かつ、バンド本体の第２バンド端部に対して接線の方向にある面について鈍角を形成するのが好ましい。ロック部材の第２タブは、第２バンド端部の第２開口部と係合する大きさに作られているが、第１バンド端部に干渉する大きさではない。
【０００８】
ある実施例では、バンド本体が基部と基部から延びる側部とを含むようにバンド本体はほぼＵ型の断面を有する。複数個のスロットはバンド本体の基部に配置されている。第１及び第２バンド端部の少なくとも一部もまた、ほぼＵ型の断面を有し、かつ、第１バンド端部が第２バンド端部のＵ型の断面に嵌合するように、第１バンド端部が第２バンド端部より幅が狭くなっているのが好ましい。好適な実施例においては、第２バンド端部はタブのそれぞれの側にＵ型の断面を有している。
【０００９】
第２バンド端部の末端部分はまた、Ｕ型の断面を有する第２バンド端の部分から延び、かつ一体となった平らな断面を有することが好ましい。あるいは、第２バンド端部は、平らな断面を有し、かつＵ型断面を有する第２バンド端部の部分に取り付けられる別の拡張部材を備えることもできる。
【００１０】
好適な実施例において、バンド本体はほぼ「Ｗ型」又は「波型」の断面を有する。第１及び第２バンド端部は互いに「入れ子」になっているので、「ネックダウン」される必要はない。第１及び第２バンド端部は、基部から延びる少なくとも２つの「Ｖ」型の側部を含む。
【００１１】
ある実施例では、複数個のスロットを有する第１バンド端部はバンド本体と一体になっている。別の実施例では、第１バンド端部はバンド本体に取り付けられ、かつ、複数個のスロットを有する別個の部材を備える。好適な実施例では、ロック部材は少なくとも１つのリブ又は凸部を含む。
【００１２】
拡張可能バンドの好適な実施例はさらに、バンド拡張機構と係合するためのバンド本体の内側表面に配置された係合要素を含む。ある実施例では、係合要素は、バンド本体の内側表面に取り付けられたブロック（ジャッキ受としても参照される）を含む。
【００１３】
本発明はまた、円筒形の構造物の内側表面をシールするための弾性シール部材と１つ以上の拡張可能バンドとを備えるシールシステムを特徴とする。
【発明を実施するための最良の形態】
【００１４】
本発明に基づく図１の拡張可能バンド１０は、パイプ、マンホール、又は構造物の壁を貫いた丸い穴といった円形構造物４の内側でゴム製シール又はガスケットのようなシール要素２を固定するために使用される。拡張可能バンド１０は外側に広がり、円筒構造物４の内側表面６に対してシール要素２を固定する。拡張可能バンド１０は、以下に記述するように、所定の直径の範囲内の所望の拡張位置でロックされる。例示実施例ではシール要素２及び円筒構造物４を示しているが、本発明の拡張可能バンド１０は、異なる形状を備えた他の型の構造物と共に、その他諸々の用途に使用されてもよい。
【００１５】
拡張可能バンド１０は、第１バンド端部１４と第２バンド端部１６とを有するバンド本体１２を通常備える。バンド本体１２の第１及び第２末端部１４、１６が重なって、ほぼ環状の形状のバンドを形成するのが好ましい。バンドが拡張する際、第１及び第２バンド端部１４、１６は、矢印１８、２０の方向が示すように互いに逆方向に移動する。好適な実施例においては、拡張可能バンド１０は、３０４あるいは３１６ステンレス鋼又は他の適した材料でできている。
【００１６】
好適な実施例においては、図２の複数個のスロット２２は、第１バンド端部１４に打抜き、研削、又は別な方法により形成されている。一例を挙げれば、スロット２２は、各末端に半円を備えたほぼ長方形の形状で、幅約０．３１８ｃｍ、長さ約１．５８８ｃｍ、及び間隔約０．７９３８ｃｍであることが好ましい。本発明のスロット２２は他の形状及び大きさであってもよい。
【００１７】
図１の拡張可能バンドはロック部材２４（以下タブ又はラッチとしても参照される）も備えている。図６のロック部材２４はバンド本体１２から切り離された別個の要素であり、第１及び第２タブ２６，５０を備えている。バンド本体１２の図７に示す第２バンド端部１６は、それぞれロック部材２４の第１及び第２タブ２６，５０を受け入れられる大きさ、かつ間隔をもった第１及び第２開口部５２，５４を備える。また、第２バンド端部１６は、ロック部材２４のタブ２６を越えた先端まで延在して、第２バンド端部１６が第１末端部１４と重なる第２バンド端部１６での移動を容易にする末端部分２８を含むのが好ましい。
【００１８】
図６の第１タブ２６は主要部分５１から所定の角度に配置され、第２バンド端部１６の第１開口部５２を通ってバンド１０に対しほぼ内側に延在して第１バンド端部１４のスロット２２の１つと係合するようになっている。第２タブ５０は、主要部分５１に対してほぼ９０度の角度で配置され、第２バンド端部１６の第２開口部５４と係合するようになっている。第２タブ５０は、第１バンド端部１４に干渉しない（係合しない）ような大きさに作られるのが好ましい。好適な実施例では、第２タブ５０は第２バンド端部１６の厚みとほぼ同じ長さをもち、第２タブ５０が第２バンド端部１６の第２開口部５４内に延在する（完全に貫通はしない）ようになっている。
【００１９】
図８のタブ２４は、タブ２４を第２バンド端部１６及び／又は第１バンド端部１４に一時的に固定する、リベット、スナップ、接着剤、又はその他の手段５６を備えていてもよい。タブ２４と拡張可能バンド１０とは単一部材として構成されているため、リベット５６により、拡張可能バンド１０を容易に、かつコンパクトに収納及び設置することが可能である。リベット５６は、ユーザが拡張可能バンド１０を設置して拡張可能な状態にすると外れるか、又は壊れるように設計される。
【００２０】
図８−図９に示すロック部材２４は、少なくとも１つのリブ又は凸部４４を任意に備える。リブ４４は、ロック部材２４の剛性と強度を増加する。リブ４４は、ロック部材２４から又はその上に、打抜き、研削、プレス、溶接、「パンチアウト」、接着、又はその他の方法により形成されてもよい。
【００２１】
一例を挙げれば、図２の第１バンド端部１４は、バンド本体１２と一体である。あるいは、図３の第１バンド端部１４のように、バンド本体１２に溶接、圧接、接着、又は別の方法で取り付けられた別部材３０を備えていてもよい。第１バンド端部は、ほぼ硬質で大体において平らな部材（例えば、約０．４７８ｃｍから０．６３５ｃｍの厚さを持った部材）を備えるか、又は、以下に記述するように、他の形状を有する断面を備えていてもよい。
【００２２】
一例を挙げれば、図４の第１及び／又は第２バンド端部１４、１６もまた、ほぼＵ型の断面を有する。第１バンド端部１４は、基部３２と、Ｕ型の断面を形成するために基部３２から延びる側部３４、３６とを備える。複数個のスロット２２は、基部３２に配置されている。第１バンド端部１４が第２バンド端部１６のＵ型の断面に嵌合する（又は入れ子になる）ように、第１バンド端部１４は第２バンド端部１６より幅が狭くなっているのが好ましい。図２に最もよく示されるように、第１バンド端部１４はバンド本体１２から「ネックダウン」されて、幅がより狭くなるのが好ましい。図３の実施例では、第１バンド端部１４を形成するためにバンド本体１２に取り付けられた別部材３０の幅はより狭くなっている。
【００２３】
好適な実施例においては、図５の第１及び第２バンド端部１４、１６の少なくとも一部はほぼＷ型又は波型の断面を有し、第１及び第２バンド端部１４、１６は互いに「入れ子」になっているので、「ネックダウン」される必要がない。第１及び第２バンド端部１４、１６は、基部３２から延びる少なくとも２つのＶ型の側部３５、３７を有する。複数個のスロット２２は基部３２に配置される。
【００２４】
図４の拡張可能バンド１０がＵ型の断面を有する実施例では、「ネックダウン」された部分の大きさによって、拡張可能バンド１０の機能範囲が部分的に限定される。これは、第１バンド端部１４が第２バンド端部１６のＵ型の断面と嵌合しなければならないためである。反対に、図５の拡張可能バンド１０がＷ型の断面を有する実施例では、第１バンド端部１４は、第２バンド端部１６に嵌合する必要がない。したがって、Ｗ型の断面を有する拡張可能バンド１０は他の既知の断面部分を有する拡張可能バンドより広範囲にわたって機能することができる。しかしながら、本発明はＵ又はＷ型の断面に限定されず、Ｃ型の断面、波型の断面、及び平らな断面をも含むがそれらに限定されない多様な型の断面を備えたバンド本体１２及び第１及び第２バンド端部１４、１６に適用できることに留意すべきである。
【００２５】
図１０の拡張可能バンド１０はさらに、ブロックやジャッキ受のような、バンド本体１７の内側表面９７に取り付けられる係合要素９８を備えていてもよい。使用の１つの方法では、バンド拡張機構９９が、拡張可能バンド１０を拡張するのに使用される。拡張機構９９の拡張部材１００，１０２が係合要素９８と第１バンド端部１４の端面６０とに係合し、第１及び第２バンド端部１４，１６を矢印１８，２０の方向に移動させる。本発明は、バンド本体１２の穴又は開口部のような、他の型の係合要素９８にも適用できる。さらに、本発明は他の型のバンド拡張機構にも適用できる。
【００２６】
バンドが拡張すると、シール要素２の変形能力により、図１２のタブ２６が第１バンド端部１４のスロット２２から外れ、第１バンド端部をタブ２６との係合から「持ち上げる」必要なく、第１及び第２バンド端部１４，１６が矢印１８，２０の方向に相互に容易にスライドできるようになる。
【００２７】
所望の直径まで拡張されると、図１３の第１タブ２６は、所望の直径でスロット２２ａに係合し、第２タブ５０が第２開口部５４に係合して、第１及び第２バンド端部１４，１６間の相対運動を妨げることにより、バンド１０をロックする。第１タブ２６が角度αに設定されていることにより、バンド１０が拡張されたとき、第１タブ２６は、スロット２２との係合から容易に外れると共に、スロット２２ａの中でのタブのロックを容易にする。
【００２８】
ロック部材２４及び第２タブ５０に対してシール要素２により加えられた圧力により、第１タブ２６はスロット２２ａに保持される。ほぼ内側に面している第１及び第２タブ２６，５０を有するシール要素２に対して、ロック部材２４を第２バンド端部１６の外側に配置することにより、シール要素２はタブ２６，５０に対して弾性の又はばね付勢された支持体を提供する。こうした弾性の支持体により、バンド１０の端部１４、１６は、拘束なしに容易にスライドすることが可能になる。さらに、ロック部材２４はバンド本体１２とは別個の要素であるため、ロック部材２４を、所定の範囲内で任意の直径に十分に拡張できるほど柔軟である必要のある拡張可能バンド本体１２より丈夫で硬質な材料により構成できる。この結果、拡張可能バンド１０は、構造物４の内側に対してより堅固なシーリングを提供できる
拡張可能バンド１０を外す１つの方法として、スクリュードライバーに類似した図１１の道具６２が使用される。道具６２の平頭６４がタブ２６（図１０）の前方の隙間６６内、及び、第１バンド端部１４と第２バンド端部１６との間、例えばＵ型の断面を形成する側面の間に挿入される。次に、道具はほぼ矢印６８の方向に動かされ、第１タブ２４がスロット２２ａとの係合から外れるまで、平頭６４は、外側つまり第２バンド端部から、内側つまり第１バンド端部を持ち上げる。必要なら、付加的な衝撃力が、例えばハンマーにより、道具６２に対して加えられてもよい。
【００２９】
したがって、本発明の拡張可能バンド１０は、より広範囲の直径に拡張可能で、かつ、効果的にロック可能である。本発明の拡張可能バンド１０は、構造物４の内側に対してより堅固なシーリングを提供する。さらに、本発明の拡張可能バンド１０は、拡張可能バンド１０の取り付け及び調整と共に、取り外し目的での拡張可能バンド１０の解除を容易にする。
【００３０】
上述したように、本発明は、１つ以上の上述した本発明の目的または特徴を必ず満たすようなシステムあるいは方法に制限されるものでなく、また、本願に記載の好適な実施例、例示実施例、又は主要な実施例に制限されるべきでない。前述の本発明の好適な実施例の記載は、説明及び解説のために提示されており、発明を網羅するものでも正確に開示された形に制限するためのものでもない。上述の教示に照らして明らかな修正又は変更が可能である。実施例は、本発明の原理とその実用的な用途の最良の説明を提供するために選択され記述されたものであり、それにより、当業者が本発明を多様な実施例において特別な用途に合うように様々な修正を加えて使用できるようにしたものである。そのような修正及び変更は全て、公明正大に、合法的に、公平に与えられる一定の幅に基づいて解釈された場合、本願請求項による本発明の範囲内である。
【図面の簡単な説明】
【００３１】
【図１】シール要素内に設置された、本発明に基づく拡張可能バンドの部分的断面側面図である。
【図２】本発明に基づく拡張可能バンドの第１及び第２バンド端部の底面図である。
【図３】本発明の別の実施形態に基づく、拡張可能バンドの第１バンド端部の底面図である。
【図４】図２の鎖線４−４に沿った本発明の拡張可能バンドの断面図である。
【図５】Ｗ型の断面を有する本発明の拡張可能バンドの断面図である。
【図６】本発明に基づくロック部材の別の実施形態の側面図である。
【図７】本発明に基づくバンド本体の別の実施形態の上面図である。
【図８】本発明の第１及び第２バンド端部を重ねた、別の実施形態の上面図である。
【図９】図８の鎖線７Ｂに沿った、本発明に基づく半硬質ストリップの一実施形態の断面図である。
【図１０】本発明の例示実施形態に基づく、拡張可能バンド及び拡張可能バンドを拡張するために使用される拡張機構の概略図である。
【図１１】本発明の一方法に基づく、拡張可能バンドが道具で外されている断面図である。
【図１２】本発明に基づく、拡張可能バンドが拡張された際の、第１及び第２バンド端部が重なった別の実施形態の断面図である。
【図１３】本発明に基づく、ロック位置で拡張可能バンドの第１及び第２バンド端部を重ねた別の実施形態の断面図である。
【符号の説明】
【００３２】
１０…拡張可能バンド
１２…バンド本体
１４…第１バンド端部
１６…第２バンド端部
２２…スロット
２４…ロック部材
２６…第１タブ
３０…別部材
５０…第２タブ
５２…第１開口部
５４…第２開口部
９８…係合要素
【図１】
2007170563.tif 000003
【図２】
2007170563.tif 000004
【図３】
2007170563.tif 000005
【図４】
2007170563.tif 000006
【図５】
2007170563.tif 000007
【図６】
2007170563.tif 000008
【図７】
2007170563.tif 000009
【図８】
2007170563.tif 000010
【図９】
2007170563.tif 000011
【図１０】
2007170563.tif 000012
【図１１】
2007170563.tif 000013
【図１２】
2007170563.tif 000014
【図１３】
2007170563.tif 000015